(57)【要約】【課題】折れ戸１を折り畳んだときに２枚の戸本体３Ａ，３Ｂの内側辺間に生じる隙間に指先などが挟まる事故を防止できるようにする。【解決手段】何れか一方の戸本体３Ａの内側面１８ａに、折り畳まれた両戸本体３Ａ，３Ｂの隣接側辺間に生じる隙間を塞ぐ厚さの帯状部材２２が装着され、当該帯状部材２２の長さ方向に沿った先端部２２ａは、折り畳まれた両戸本体３Ａ，３Ｂの隣接側辺間から外側に突出すると共に、当該突出先端部２２ａの横断面形状が、この帯状部材２２が取り付けられていない側の戸本体３Ｂにおける前記突出先端部２２ａに当接する面の回動軌跡に沿った半円形となっている。【選択図】図３
2006241867.tif 000002
【特許請求の範囲】
【請求項１】
２枚の戸本体の隣接側辺どうしを蝶番により折り畳み自在に連結して成る折れ戸であって、何れか一方の戸本体の内側面に、折り畳まれた両戸本体の隣接側辺間に生じる隙間を塞ぐ厚さの帯状部材が装着され、当該帯状部材の長さ方向に沿った先端部は、折り畳まれた両戸本体の隣接側辺間から外側に突出すると共に、当該突出先端部の横断面形状が、この帯状部材が取り付けられていない側の戸本体における前記突出先端部に当接する内側面の回動軌跡に沿った半円形となっている、折れ戸。
【発明の詳細な説明】
【技術分野】
【０００１】
本発明は、２枚の戸本体の隣接側辺どうしを蝶番により折り畳み自在に連結して成る折れ戸に関するものである。
【背景技術】
【０００２】
この種の折れ戸には、この折れ戸によって開閉される開口部を開くために折れ戸を折り畳んだとき、開口部から手前に互いに重なって突出する両戸本体の隣接側辺間に隙間が生じ、開口部を閉じるために折り畳まれた折れ戸を一平面状に展開操作するとき、徐々に閉じることになる前記隙間に指先を挟んでしまう恐れがある。この隙間をできる限り小さくするために、後述する本発明の実施形態にも示すように、蝶番を埋め込み式にしてその垂直支軸の位置を戸本体の内側面に合わせるような工夫も行われたが、隙間そのものを無くすことはできない。従って、折り畳まれた両戸本体の隣接側辺間に生じる隙間を塞ぐ工夫が必要になるが、従来のものは、例えば特許文献１に記載のように、蝶番で内側辺どうしが連結される２枚の戸本体が一平面状に展開したときに互いに対接する両戸本体の端面に、この折れ戸を折り畳んだときに開いて前記隙間を閉じる屈曲性シートを取り付けるものであった。
【特許文献１】特開平８−２７０３１３号公報
【発明の開示】
【発明が解決しようとする課題】
【０００３】
上記のような従来の構成では、折れ戸を折り畳んだときに両戸本体の端面間に跨がって開いた屈曲性シートの全表面が露出することになり、折れ戸の意匠を損なう恐れがあるばかりでなく、折れ戸の折り畳み展開操作の度に屈曲性シートが大きな変形を繰り返すことになり、長期間にわたって所期の機能を発揮できるような屈曲性シートを確保することが難しく、コストもかかるという問題点がある。
【課題を解決するための手段】
【０００４】
本発明は上記のような従来の問題点を解消し得る折れ戸を提供することを目的とするものであって、その手段を後述する実施形態の参照符号を付して示すと、２枚の戸本体３Ａ，３Ｂの隣接側辺どうしを蝶番４Ａ〜４Ｃにより折り畳み自在に連結して成る折れ戸１であって、何れか一方の戸本体３Ａの内側面１８ａに、折り畳まれた両戸本体３Ａ，３Ｂの隣接側辺間に生じる隙間を塞ぐ厚さの帯状部材２２が装着され、当該帯状部材２２の長さ方向に沿った先端部２２ａは、折り畳まれた両戸本体３Ａ，３Ｂの隣接側辺間から外側に突出すると共に、当該突出先端部２２ａの横断面形状が、この帯状部材２２が取り付けられていない側の戸本体３Ｂにおける前記突出先端部２２ａに当接する面の回動軌跡に沿った半円形となっている。
【発明の効果】
【０００５】
上記構成の本発明に係る折れ戸によれば、折れ戸を折り畳んだときに両戸本体の内側辺間に生じる隙間は、片側の戸本体の内側面に取り付けられた帯状部材の長さ方向に沿った突出先端部が嵌まり込んで閉じることになり、両戸本体の内側辺間の隙間に指先や衣服が入り込むのを防止できる。従って、折り畳まれた折れ戸を展開操作するときに指先を挟み込んで怪我をしたり、衣服が挟み込まれるというような不都合が生じなくなる。しかも、前記帯状部材は、折れ戸を折り畳んだときに長さ方向に沿った先端部が僅かに両戸本体の内側辺間より突出するだけであり、従来のように戸本体の端面の意匠感を変えてしまうような不都合もない。更に、前記隙間を塞ぐ帯状部材は、折れ戸の折り畳み展開動作時に圧縮や引っ張り、曲げなどの変形を受けることが一切なく、硬質の丈夫な無垢材料で構成することも可能である。従って、長期間にわたって所期の機能を完璧に発揮させることができ、しかも安価に実施することができる。
【発明を実施するための最良の形態】
【０００６】
以下に本発明の具体的実施例を添付図に基づいて説明すると、図１及び図２において、１は収納空間の開口部２を開閉する折れ戸であって、２枚の戸本体３Ａ，３Ｂの互いに隣接する内側辺どうしを上下複数個、図示例では３個の蝶番４Ａ〜４Ｃにより折り畳み自在に連結して構成している。この折れ戸１は、一方の戸本体３Ａの外側辺が上下複数個、図示例では３個の蝶番５により開口部２の左右何れかの横側壁６に支承され、他方の戸本体３Ｂの外側辺には、開口部２の中間高さ（例えば中間棚の前縁下側面）に配設されたガイドレール７に係合する横動体８が蝶番９を介して取り付けられている。尚、横動体８は、ガイドレール７の高さに応じて、戸本体３Ｂの外側辺の上部、または上部と下部の両方に配設することもできる。
【０００７】
戸本体３Ａ，３Ｂを連結する蝶番４Ａ〜４Ｃは特に構造が限定されるものではないが、この実施形態で使用されている蝶番４Ａ〜４Ｃの具体構造を図３Ａ，Ｂに基づいて説明すると、蝶番４Ａ〜４Ｃは、２枚の取付板１０ａ，１０ｂを支軸１１で開閉自在に連結した平蝶番形式のものであって、各取付板１０ａ，１０ｂの取付面側には、互いに隣接する側を支軸１１に沿って直線状に切除した切円形の埋設座部１２ａ，１２ｂが突設され、一方の取付板１０ａ側には、埋設座部１２ａから軸受け部１３が連設されると共に当該軸受け部１３の外周面がカム面１４に形成され、他方の取付板１０ｂには、前記軸受け部１３の両側で円筒状の軸受け部１５ａ，１５ｂが連設されると共に、前記カム面１４にスプリング１６で圧接されるカム従動片１７が設けられたものである。而して、同心状に並ぶ３つの軸受け部１５ａ，１３，１５ｂに支軸１１が挿通されて組み立てられた各蝶番４Ａ〜４Ｃは、戸本体３Ａ，３Ｂの内側辺に接して内側面１８ａ，１８ｂに形成された切円形の凹部１９ａ，１９ｂに埋設座部１２ａ，１２ｂが各々内嵌する状態で各取付板１０ａ，１０ｂが戸本体３Ａ，３Ｂの内側面１８ａ，１８ｂにそれぞれ複数本の取付用ネジ２０により取り付けられる。
【０００８】
上記のように各蝶番４Ａ〜４Ｃによって連結された２枚の戸本体３Ａ，３Ｂは、各蝶番４Ａ〜４Ｃの同心状に位置する支軸１１の周りで折り畳み可能であるが、両戸本体３Ａ，３Ｂの内側面１８ａ，１８ｂが互いに対面する折り畳み状態から一平面状に展開したとき、両戸本体３Ａ，３Ｂの互いに隣接する内側辺端面２１が互いに当接し、それ以上の展開動作が阻止される。このとき各蝶番４Ａ〜４Ｃのカム従動片１７が図示のようにカム面１４の凹部に嵌合し、両戸本体３Ａ，３Ｂを展開状態で保持することになる。
【０００９】
即ち、折れ戸１は、図１に仮想線で示すように横側壁６から前方に突出する折り畳み状態（開口部２を全開している状態）から両戸本体３Ａ，３Ｂを各蝶番４Ａ〜４Ｃの支軸１１の周りで開動させて一平面状に展開させることにより、図１に実線で示すように開口部２を閉じることができる。また逆に、一平面状に展開して開口部２を閉じている折れ戸１を、両戸本体３Ａ，３Ｂの内側面１８ａ，１８ｂを互いに対面させるように各蝶番４Ａ〜４Ｃの支軸１１の周りで閉動させて折り畳むことにより、開口部２を開くことができる。この折れ戸１の折り畳み展開動作（開口部２の開閉動作）において、戸本体３Ｂの外側辺の移動経路が横動体８を介してガイドレール７により規制される。
【００１０】
上記のような折れ戸１において、図２に示すように蝶番４Ａと蝶番４Ｂとの間、及び蝶番４Ｂと蝶番４Ｃとの間に帯状部材２２が配設される。勿論、必要に応じて上下両端の蝶番４Ａ，４Ｃと戸本体３Ａ，３Ｂの上下両端との間にも帯状部材２２を配設しても良い。帯状部材２２は、図４に示すように両戸本体３Ａ，３Ｂを折り畳んだときに両戸本体３Ａ，３Ｂの内側辺間に生じる隙間を丁度埋めることができる厚さのもので、その長さ方向に沿った一側辺の端面は、横断面形状が当該帯状部材２２の厚さの半分の半径の半円形に形成されている。この帯状部材２２は、図３Ａ，Ｃ及び図４に示すように、戸本体３Ａ，３Ｂの何れか一方、図示例では戸本体３Ａの内側面１８ａに、帯状部材２２の横断面半円形の先端部２２ａが戸本体３Ａの内側辺端面２１から突出するように取り付けられている。この帯状部材２２の取付手段は、両面接着テープや接着剤、タッカー、釘や木ネジなど、如何なるものであっても良い。
【００１１】
上記のように取り付けられた帯状部材２２の横断面半円形の先端部２２ａは、その横断面半円形の中心が、各蝶番４Ａ〜４Ｃの支軸１１の中心を通る両戸本体３Ａ，３Ｂ間の回動軸心１１ａと一致しており、従って、折れ戸１を折り畳み展開動作させたとき、帯状部材２２が取り付けられていない側の戸本体３Ｂの帯状部材２２に当接する部分、即ち、内側面１８ｂと内側辺端面２１との間の角部は、帯状部材２２の横断面半円形の先端部２２ａの周面に沿って回動することになり、折れ戸１を折り畳んだとき、図４に示すように、帯状部材２２の横断面半円形の先端部２２ａが両戸本体３Ａ，３Ｂの内側辺端面２１から前方に突出し、両戸本体３Ａ，３Ｂの内側辺間の隙間は帯状部材２２によって完全に閉じられている。
【００１２】
尚、帯状部材２２の厚さ、即ち、折り畳んだときの両戸本体３Ａ，３Ｂの内側辺間の隙間は、蝶番４Ａ〜４Ｃの支軸１１の軸心１１ａの位置によって決まることになる。即ち、図３に示すように支軸１１の軸心を両戸本体３Ａ，３Ｂの内側面１８ａ，１８ｂに十分に接近させることができる半埋め込み式の蝶番４Ａ〜４Ｃの場合は、折り畳んだときの両戸本体３Ａ，３Ｂの内側辺間の隙間は非常に狭くなるので、使用する帯状部材２２の厚さも当該隙間に一致する比較的薄いもので済むが、図５に示すように、戸本体３Ａ，３Ｂの内側面１８ａ，１８ｂ上に当て付けて取り付けられる面付けタイプの蝶番２３である場合は、その支軸１１の軸心１１ａの位置が両戸本体３Ａ，３Ｂの内側面１８ａ，１８ｂから離れることになり、従って、折り畳んだときの両戸本体３Ａ，３Ｂの内側辺間の隙間も大きくなる。この場合には、その隙間に合わせて板厚の大きな帯状部材２２が使用される。
【図面の簡単な説明】
【００１３】
【図１】折れ戸の一使用例を示す平面図である。
【図２】折れ戸の内側を示す立面図である
【図３】Ａ図は図２の蝶番部分を示す拡大図、Ｂ図はＡ図の蝶番位置での横断平面図、Ｃ図はＡ図の帯状部材位置での横断平面図である。
【図４】折れ戸が折り畳まれたときの帯状部材位置での横断平面図である。
【図５】Ａ図は面付けタイプの蝶番を使用したときの蝶番位置での横断平面図、Ｂ図はそのときの帯状部材位置での横断平面図である。
【符号の説明】
【００１４】
１    折れ戸
３Ａ，３Ｂ    ２枚の戸本体
４Ａ〜４Ｃ，５，９，２３    蝶番
７    ガイドレール
８    横動体
１０ａ，１０ｂ    取付板
１１    支軸
１２ａ，１２ｂ    切円形の埋設座部
１３，１５ａ，１５ｂ    軸受け部
１４    カム面
１６    スプリング
１７    カム従動片
１８ａ，１８ｂ    戸本体の内側面
２１    戸本体の内側辺端面
２２    帯状部材
２２ａ    横断面半円形の先端部
【図１】
2006241867.tif 000003
【図２】
2006241867.tif 000004
【図３】
2006241867.tif 000005
【図４】
2006241867.tif 000006
【図５】
2006241867.tif 000007